(57)【要約】      （修正有）【課題】プラスチック製蓋付き容器におけるプラスチック製密封容器の四辺の中の一辺を底側にして対向する一辺を天側になるように用いても自立させることができるプラスチック製密封容器を提供する。【解決手段】Ｔ２はプラスチック製蓋付き容器であり、１００は略長方形状で上部開口型の容器本体であり、２００は容器本体１００に密閉可能に着脱されるように形成した蓋体であり、２１０は蓋体２００を開口縁を介して密閉可能に着脱させる部位である縁部である。１２０ａは容器本体１００の外壁面で開口縁の近傍でかつ外周面に沿って設けられた第一突起体であり、１３０ａは容器本体１００の外壁面で容器本体１００の底部の近傍でかつ外周面に沿って設けられた第二突起体である。略長方形状のプラスチック製蓋付き容器Ｔ２の任意の長側面を底にして対向する長側面を天側になるように水平台に載置すると、プラスチック製蓋付き容器Ｔ２は略垂直状態を保持して自立したままになっている。【選択図】図７
0003156287.tif 000002
【実用新案登録請求の範囲】
【請求項１】
略四角形状で上部開口型のプラスチック製容器本体にプラスチック製蓋体が密閉可能に取り付けられるプラスチック製蓋付き容器において、該容器本体の外壁面で開口縁の近傍でかつ外周面に沿って第一突起体を設け、前記第一突起体を設けた外壁面で底部又はその近傍でかつ外周面に沿って第二突起体を設け、前記第一突起体の外周と前記第二突起体の外周とが略同じになるように形成し、該蓋体の縁部の外周と前記第一突起体の外周とが略同じになるように形成または該蓋体の縁部の外周が前記第一突起体の外周よりも小さくなるように形成することを特徴とする、プラスチック製密封容器の構造。
【請求項２】
略四角形状で上部開口型のプラスチック製容器本体にプラスチック製蓋体が密閉可能に取り付けられるプラスチック製蓋付き容器において、該容器本体の四辺の中の少なくとも一辺の外壁面で開口縁の近傍で所定形状で所定寸法の第一棒状体を設け、前記第一棒状体を設けた外壁面で底部又はその近傍で所定形状で所定寸法の第二棒状体を設け、前記容器本体の四辺の中の少なくとも一辺を水平面に載置した場合に前記容器本体が略垂直に自立することが可能に成るように前記第一棒状体と前記第二棒状体と該蓋体の縁部とを形成することを特徴とする、プラスチック製密封容器の構造。
【請求項３】
前記第一突起体または前記第一棒状体と前記第二突起体または前記第二棒状体の間の任意部位、または前記容器本体の四辺の中の少なくとも一辺に、把手状に形成した突起体を設けることを特徴とする、請求項１または請求項２に記載のプラスチック製密封容器の構造。
【請求項４】
前記把手状突起体を補強するための突起体を前記把手状突起体の近傍に設けることを特徴とする、請求項３に記載のプラスチック製密封容器の構造。
【請求項５】
前記第一突起体または前記第一棒状体の縁部の任意部位に少なくとも一つの切欠き部または凹状部を形成させたことを特徴とする、請求項１または請求項２に記載のプラスチック製密封容器の構造。
【考案の詳細な説明】
【技術分野】
【０００１】  本考案は、略四角形状で上部開口型のプラスチック製容器本体にプラスチック製蓋体が密閉可能に取り付けられるプラスチック製蓋付き容器における、プラスチック製密封容器の構造に関するものである。
【背景技術】
【０００２】  従来から、プラスチック製密封容器に関しては、図１と図２に示すように、略四角形状で上部開口型のプラスチック製容器本体１０にプラスチック製蓋体２０が密閉可能手段を介して着脱されるようになっている、プラスチック製蓋付き容器Ｔ１が一般的に知られている。プラスチック製容器本体１０の開口縁１１とプラスチック製蓋体２０の縁部２１は、プラスチック製容器本体１０とプラスチック製蓋体２０とが密閉可能に着脱されるよう密嵌に嵌着できるように形成されている。プラスチック製容器本体１０の外壁面で開口縁１１の近傍でかつ外周面に沿って突起体である上部突起体１２を設けてあり、上部突起体１２によって開口縁１１は補強され、プラスチック製蓋体２０をプラスチック製容器本体１０に密嵌に嵌着したときには上部突起体１２は縁部２１を保護する機能を備え、プラスチック製蓋付き容器Ｔ１を移動させるときには上部突起体１２は把手としての機能も備えている。【０００３】  また、図１と図２で示したようなプラスチック製蓋付き容器Ｔ１は、従来から一般的には、タッパー（Ｔｕｐｐｅｒ：登録商標）とかタッパーウェア（Ｔｕｐｐｅｒｗａｒｅ：登録商標）という名称で知られており、広い意味で密閉容器全般のことを指していることも知られている。一般的には、食品や食材の保存用に用いられ、冷蔵庫、冷凍庫、保冷庫、冷蔵容器、冷凍容器、保冷容器、食品ストッカー、食材ストッカー、などで利用されている。
【考案の開示】
【考案が解決しようとする課題】
【０００４】  従来のプラスチック製蓋付き容器を複数以上、冷蔵庫、冷凍庫、保冷庫、冷蔵容器、冷凍容器、保冷容器、食品ストッカー、食材ストッカー、などで利用する場合に、十分な収納スペースがある場合にはそれほど問題にはならかったが、例えば上記収納手段の中で十分な収納スペースが無い場合、例えば上記収納手段の収納サイズの問題、例えば上記収納手段の収納物の量の問題などによって、複数以上のプラスチック製蓋付き容器を重ねて用いる場合が多く、その場合には下の方のプラスチック製蓋付き容器が取り出しにくくなるという問題点や、下の方のプラスチック製蓋付き容器の内容物の確認が難しくなるという問題点の指摘がなされている。そのために従来のプラスチック製蓋付き容器の四辺の中の一辺を底側にして対向する一辺を天側になるように上記収納手段に収納すると、図１と図２で示したような従来型のプラスチック製蓋付き容器Ｔ１は、垂直に自立しない構造になっているのが明白である。このため、無理にこの状態を続けることは底側になったプラスチック製蓋体の部位に負荷が生じプラスチック製蓋付き容器としての密封性や耐久性に問題が生じるという指摘がなされている。【０００５】  本考案は、上記の課題を解決するために成されたものであり、略四角形状で上部開口型のプラスチック製容器本体にプラスチック製蓋体が密閉可能に取り付けられるプラスチック製蓋付き容器におけるプラスチック製密封容器の四辺の中の一辺を底側にして対向する一辺を天側になるように用いても略垂直に自立させることができ、またこの状態を保持してもプラスチック製容器として十分な強度や密封容器としての密封性を保持しながらプラスチック製蓋体の着脱性も向上させることができる、プラスチック製密封容器の構造の提供を目的とする。
【課題を解決するための手段】
【０００６】  課題を解決するための第一の手段（請求項１より）は、略四角形状で上部開口型のプラスチック製容器本体にプラスチック製蓋体が密閉可能に取り付けられるプラスチック製蓋付き容器において、該容器本体の外壁面で開口縁の近傍でかつ外周面に沿って第一突起体を設け、前記第一突起体を設けた外壁面で底部又はその近傍でかつ外周面に沿って第二突起体を設け、前記第一突起体の外周と前記第二突起体の外周とが略同じになるように形成し、該蓋体の縁部の外周と前記第一突起体の外周とが略同じになるように形成または該蓋体の縁部の外周が前記第一突起体の外周よりも小さくなるように形成することを特徴とする、プラスチック製密封容器の構造を提供することである。【０００７】  課題を解決するための第一の手段で示した略四角形状に関しては、略直方形、略正方形、などを示している。
課題を解決するための第一の手段で示したプラスチック製容器本体に関しては、硬質性で熱可塑性でかつ氷点下２０℃以上の耐冷性がある合成樹脂材料の中から選択して用いればよい。また前記容器本体の成型手段に関しては公知の手段で構わない。
課題を解決するための第一の手段で示したプラスチック製蓋体に関しては、軟質性または可撓性で熱可塑性でかつ氷点下２０℃以上の耐冷性がある合成樹脂材料の中から選択して用いればよい。また前記蓋体の成型手段に関しては公知の手段で構わない。【０００８】  課題を解決するための第一の手段で示した前記第一突起体に関しては、略直方形状または略正方形状の開口部を備えた略立方体に形成されたプラスチック製容器本体の外壁面で開口縁の近傍でかつ外周面に沿って突起状の物体が形成されるのであれば、その形状に関しては特に問わないものとする。また前記第一突起体の形成手段に関しては、前記第一突起体が前記容器本体と一体化されるように設計された金型を用いて押し出し成形またはプレス成型すれば良い。
課題を解決するための第一の手段で示した前記第二突起体に関しては、略直方形状または略正方形状の開口部を備えた略立方体に形成されたプラスチック製容器本体の外壁面で底部又はその近傍でかつ外周面に沿って突起状の物体が形成されるのであれば、その形状に関しては特に問わないものとする。また前記第二突起体の形成手段に関しては、前記第二突起体が前記容器本体と一体化されるように設計された金型を用いて押し出し成形またはプレス成型すれば良い。【０００９】  課題を解決するための第一の手段で示した前記第一突起体の外周と前記底部突起体の外周とが略同じになるように形成することに関しては、その目的が略直方形状または略正方形状の開口部を備えた略立方体に形成されたプラスチック製容器本体と前記プラスチック製容器本体に上述したプラスチック製蓋体が密閉可能に取り付けられるプラスチック製蓋付き容器であるプラスチック製密封容器の四辺の中の一辺を底側にして対向する一辺を天側になるように水平面に載置した場合に、略垂直に自立するためなので、前記第一突起体の外周と前記第二突起体の外周とがそのような関係になっていれば良い。
課題を解決するための第一の手段で示した該蓋体の縁部の外周と前記第一突起体の外周とが略同じになるように形成することに関しては、その目的が略直方形状または略正方形状の開口部を備えた略立方体に形成されたプラスチック製容器本体と前記プラスチック製容器本体に上述したプラスチック製蓋体が密閉可能に取り付けられるプラスチック製蓋付き容器であるプラスチック製密封容器の四辺の中の一辺を底側にして対向する一辺を天側になるように水平面に載置した場合に、略垂直に自立するためなので、上述したプラスチック製蓋体の縁部の外周と前記第一突起体の外周とがそのような関係になっていれば良い。
課題を解決するための第一の手段で示した該蓋体の縁部の外周が前記第一突起体の外周よりも小さくなるように形成することに関しては、その目的が略直方形状または略正方形状の開口部を備えた略立方体に形成されたプラスチック製容器本体と前記プラスチック製容器本体に上述したプラスチック製蓋体が密閉可能に取り付けられるプラスチック製蓋付き容器であるプラスチック製密封容器の四辺の中の一辺を底側にして対向する一辺を天側になるように水平面に載置した場合に、略垂直に自立するためなので、上述したプラスチック製蓋体の縁部の外周と前記第一突起体の外周とがそのような関係になっていれば良い。【００１０】  課題を解決するための第二の手段（請求項２より）は、略四角形状で上部開口型のプラスチック製容器本体にプラスチック製蓋体が密閉可能に取り付けられるプラスチック製蓋付き容器において、該容器本体の四辺の中の少なくとも一辺の外壁面で開口縁の近傍で所定形状で所定寸法の第一棒状体を設け、前記第一棒状体を設けた外壁面で底部又はその近傍で所定形状で所定寸法の第二棒状体を設け、前記容器本体の四辺の中の少なくとも一辺を水平面に載置した場合に前記容器本体が略垂直に自立することが可能に成るように前記第一棒状体と前記第二棒状体と該蓋体の縁部とを形成することを特徴とする、プラスチック製密封容器の構造を提供することである。【００１１】  課題を解決するための第二の手段で示した略四角形状に関しては、略直方形、略正方形、などを示している。
課題を解決するための第二の手段で示したプラスチック製容器本体に関しては、硬質性で熱可塑性でかつ氷点下２０℃以上の耐冷性がある合成樹脂材料の中から選択して用いればよい。また前記容器本体の成型手段に関しては公知の手段で構わない。
課題を解決するための第二の手段で示したプラスチック製蓋体に関しては、軟質性または可撓性で熱可塑性でかつ氷点下２０℃以上の耐冷性がある合成樹脂材料の中から選択して用いればよい。また前記蓋体の成型手段に関しては公知の手段で構わない。【００１２】  課題を解決するための第二の手段で示した該容器本体の四辺の中の少なくとも一辺の外壁面で開口縁の近傍で所定形状で所定寸法の第一棒状体を設けることに関しては、まず前記第一棒状体の材質に関しては軟質性または可撓性で熱可塑性でかつ氷点下２０℃以上の耐冷性がある合成樹脂材料の中から選択して用いればよく、また前記第一棒状体の成型手段に関しては公知の手段で構わない。また前記第一棒状体の前記外壁面への係着手段は熱溶着手段や接着手段や挟着手段や嵌着手段や張着手段や貼着手段などから選択して用いるものとする。また前記第一棒状体を前記外壁面で開口縁の近傍で所定形状で所定寸法の第一棒状体を設けることによって、プラスチック製密封容器の四辺の中の一辺を底側にして対向する一辺を天側になるように水平面に載置した場合に、略垂直に自立するように後述する第二棒状体と連動して設計される。
課題を解決するための第二の手段で示した前記第一棒状体を設けた外壁面で底部又はその近傍で所定形状で所定寸法の第二棒状体を設けることに関しては、まず前記第二棒状体の材質に関しては軟質性または可撓性で熱可塑性でかつ氷点下２０℃以上の耐冷性がある合成樹脂材料の中から選択して用いればよく、また前記第二棒状体の成型手段に関しては公知の手段で構わない。また前記第二棒状体の前記外壁面への係着手段は熱溶着手段や接着手段や挟着手段や嵌着手段や張着手段や貼着手段などから選択して用いるものとする。また前記第二棒状体を前記外壁面で底部又はその近傍で所定形状で所定寸法の第二棒状体を設けることによって、プラスチック製密封容器の四辺の中の一辺を底側にして対向する一辺を天側になるように水平面に載置した場合に、略垂直に自立するように上述した第一棒状体と連動して設計される。
課題を解決するための第一の手段で示した前記容器本体の四辺の中の少なくとも一辺を水平面に載置した場合に前記容器本体が略垂直に自立することが可能に成るように前記第一棒状体と前記第二棒状体と該蓋体の縁部とを形成することに関しては、その目的が略直方形状または略正方形状の開口部を備えた略立方体に形成されたプラスチック製容器本体と前記プラスチック製容器本体に上述したプラスチック製蓋体が密閉可能に取り付けられるプラスチック製蓋付き容器であるプラスチック製密封容器の四辺の中の一辺を底側にして対向する一辺を天側になるように水平面に載置した場合に、略垂直に自立するためなので、上述した前記第一棒状体と前記第二棒状体と該蓋体の縁部とがそのような関係になっていれば良い。【００１３】  課題を解決するための第二の手段で示した所定形状で所定寸法の第一棒状体に関しては、例えば前記所定形状に関しては断面が三角形でも方形でも多角形でも円形でも良くこれらの中から選択して用いれば良く、また例えば前記所定寸法に関しては前記断面寸法を、その目的が上述したプラスチック製蓋付き容器であるプラスチック製密封容器の四辺の中の一辺を底側にして対向する一辺を天側になるように水平面に載置した場合に略垂直に自立するためなので前記第一棒状体と前記第二棒状体と前記蓋体の縁部とがこの関係を達成するように設計すれば良く、また例えば前記所定寸法に関しては前記第一棒状体の長さを、その目的が上述したプラスチック製蓋付き容器であるプラスチック製密封容器の四辺の中の一辺を底側にして対向する一辺を天側になるように水平面に載置した場合に略垂直に自立するためなので前記第一棒状体と前記第二棒状体と前記蓋体の縁部とがこの関係を達成するように設計すれば良い。
課題を解決するための第二の手段で示した所定形状で所定寸法の第二棒状体に関しては、例えば前記所定形状に関しては断面が三角形でも方形でも多角形でも円形でも良くこれらの中から選択して用いれば良く、また例えば前記所定寸法に関しては前記断面寸法を、その目的が上述したプラスチック製蓋付き容器であるプラスチック製密封容器の四辺の中の一辺を底側にして対向する一辺を天側になるように水平面に載置した場合に略垂直に自立するためなので前記第二棒状体と前記第一棒状体と前記蓋体の縁部とがこの関係を達成するように設計すれば良く、また例えば前記所定寸法に関しては前記第二棒状体の長さを、その目的が上述したプラスチック製蓋付き容器であるプラスチック製密封容器の四辺の中の一辺を底側にして対向する一辺を天側になるように水平面に載置した場合に略垂直に自立するためなので前記第二棒状体と前記第一棒状体と前記蓋体の縁部とがこの関係を達成するように設計すれば良い。
また前記第一棒状体の形成手段に関しては、前記第一棒状体に関して示された内容を元にして設計された金型を用いて押し出し成形またはプレス成型すれば良い。また前記第二棒状体の形成手段に関しては、前記第二棒状体に関して示された内容を元にして設計された金型を用いて押し出し成形またはプレス成型すれば良い。【００１４】  課題を解決するための第三の手段（請求項３より）は、前記第一突起体または前記第一棒状体と前記第二突起体または前記第二棒状体の間の任意部位、または前記容器本体の四辺の中の少なくとも一辺に、把手状に形成した突起体を設けることを特徴とする、課題を解決するための第一の手段または課題を解決するための第二の手段に記載のプラスチック製密封容器の構造を提供することである。【００１５】  課題を解決するための第三の手段で示した把手状に形成した突起体に関しては、前記把手状突起体の形状が、人差し指または中指または薬指またはこれらの組合せの指が引っ掛るか又は係止できるような形状になっていればどんな形状でも構わないものとする。また、前記把手状突起体の高さに関しては、前記第一突起体の高さと前記第二突起体の高さと同じになるように形成させるかそれ以下になるように形成させるものとする。また、前記把手状突起体の高さに関しては、前記第一棒状体の高さと前記第二棒状体の高さと同じになるように形成させるかそれ以下になるように形成させるものとする。
前記把手状突起体の形成手段に関しては、前記第一突起体または前記第一棒状体と前記第二突起体または前記第二棒状体の間の任意部位、または前記容器本体の四辺の中の少なくとも一辺と、一体になるように設計され成型される手段を選択してもよい。
また前記把手状突起体の形成手段に関しては、前記第一突起体と前記第二突起体の間の任意部位、または前記容器本体の四辺の中の少なくとも一辺に、人差し指または中指または薬指またはこれらの組合せの指が引っ掛るか又は係止できるような形状に形成した棒状体を固着手段を介して設けてもよい。
また前記把手状突起体の形成手段に関しては、前記第一棒状体と前記第二棒状体の間の任意部位、または前記容器本体の四辺の中の少なくとも一辺と、一体になるように設計され成型される手段を選択してもよい。
また前記把手状突起体の形成手段に関しては、前記第一棒状体と前記第二棒状体の間の任意部位、または前記容器本体の四辺の中の少なくとも一辺に、人差し指または中指または薬指またはこれらの組合せの指が引っ掛るか又は係止できるような形状に形成した棒状体を固着手段を介して設けてもよい。【００１６】  課題を解決するための第四の手段（請求項４より）は、前記把手状突起体を補強するための突起体を前記把手状突起体の近傍に設けることを特徴とする、課題を解決するための第三の手段に記載のプラスチック製密封容器の構造を提供することである。【００１７】  課題を解決するための第四の手段で示した前記把手状突起体を補強するための突起体に関しては、前記把手状突起体の近傍に設けることで前記把手状突起体を補強することになるので、その形状に関しては特に問わないものとし、前記補強突起体の高さに関しては、前記第一突起体の高さと前記第二突起体の高さと前記把手状突起体の高さと同じになるように形成させるかそれ以下になるように形成させるものとする。また、前記補強突起体の高さに関しては、前記第一棒状体の高さと前記第二棒状体の高さと前記把手状突起体の高さと同じになるように形成させるかそれ以下になるように形成させるものとする。
前記補強突起体の形成手段に関しては、前記第一突起体と前記第二突起体の間で前記把手状突起体の近傍である前記容器本体と、一体になるように設計され成型される手段を選択してもよい。
また前記補強突起体の形成手段に関しては、前記第一突起体と前記第二突起体の間で前記把手状突起体の近傍である前記容器本体に、上述した棒状体を固着手段を介して設けてもよい。
また前記補強突起体の形成手段に関しては、前記第一棒状体と前記第二棒状体の間で前記把手状突起体の近傍である前記容器本体と、一体になるように設計され成型される手段を選択してもよい。
また前記補強突起体の形成手段に関しては、前記第一棒状体と前記第二棒状体の間で前記把手状突起体の近傍である前記容器本体に、上述した棒状体を固着手段を介して設けてもよい。【００１８】  課題を解決するための第五の手段（請求項５より）は、前記第一突起体または前記第一棒状体の縁部の任意部位に少なくとも一つの切欠き部または凹状部を形成させたことを特徴とする、課題を解決するための第一の手段または課題を解決するための第二の手段に記載のプラスチック製密封容器の構造を提供することである。【００１９】  課題を解決するための第五の手段で示した前記第一突起体または前記第一棒状体の縁部の任意部位に少なくとも一つの切欠き部に関しては、前記第一突起体または前記第一棒状体の縁部の任意部位に切欠き状を形成させるようになっていればその形成手段に関してはどんな手段でも構わない。
課題を解決するための第五の手段で示した前記第一突起体または前記第一棒状体の縁部の任意部位に少なくとも一つの凹状部に関しては、前記第一突起体または前記第一棒状体の縁部の任意部位に凹状を形成させるようになっていればその形成手段に関してはどんな手段でも構わない。
また、前記第一突起体または前記第一棒状体の縁部の任意部位に少なくとも一つの切欠き部または凹状部を形成させたことを特徴とするが、前記第一突起体または前記第一棒状体の縁部には本考案の設計者が所望する数量例えば必要に応じて多数設けるようにしても構わないものとする。
なお、この実施形態では、容器本体の相対する二辺に係止部を設けたが、係止部の数は必要に応じて多数設けてもよく、その他の辺にも係止部を設けてもよいことは勿論である。
【考案の効果】
【００２０】  本考案のプラスチック製密封容器の構造によって、課題を解決するための第一の手段で示した内容または課題を解決するための第二の手段で示した内容を備えた構造のプラスチック製密封容器の四辺の中の一辺を底側にして対向する一辺を天側になるように水平面に載置した場合でも略垂直に自立することが出来るので、例えば、卓上、作業台、展示台、展示ケース、ショーウインドウ、ラック、棚、等の水平面のスペースを有効利用でき、また本考案によるプラスチック製密封容器を複数以上略垂直に収納できるので、冷蔵庫、冷凍庫、保冷庫、冷蔵容器、冷凍容器、保冷容器、食品ストッカー、食材ストッカー、などで利用する場合でも、効率よく収納でき、かつ収納した後のプラスチック製密封容器の出し入れも容易に行なうことが出来る、プラスチック製密封容器の提供が可能になる。【００２１】  本考案のプラスチック製密封容器の構造によって、課題を解決するための第一の手段で示した内容または課題を解決するための第二の手段で示した内容を備えた構造のプラスチック製密封容器の四辺の中の一辺を底側にして対向する一辺を天側になる略垂直自立状態を所定時間または所定日数保持していることが出来るにも拘らず、さらに密封性が従来通り良好なプラスチック製密封容器の提供が可能になる。【００２２】  課題を解決するための第三の手段で示した内容を備えた構造のプラスチック製密封容器を提供できることによって、前記第一棒状体と前記第二棒状体の間の任意部位、または前記容器本体の四辺の中の少なくとも一辺に、把手状に形成した突起体を設けてあるので、前記プラスチック製密封容器の四辺の中の一辺を底側にして対向する一辺を天側になるように略垂直自立させてある、例えば、卓上、作業台、展示台、展示ケース、ショーウインドウ、ラック、棚、等から前記プラスチック製密封容器を持ち上げようとする場合でも容易に行なうことができ、また例えば、複数以上の前記プラスチック製密封容器の四辺の中の一辺を底側にして対向する一辺を天側になるように収納してある、冷蔵庫、冷凍庫、保冷庫、冷蔵容器、冷凍容器、保冷容器、食品ストッカー、食材ストッカー、などから前記プラスチック製密封容器を持ち上げようとする場合や出し入れする場合でも容易に行なうことが出来る。【００２３】  課題を解決するための第四の手段で示した内容を備えた構造のプラスチック製密封容器を提供できることによって、本考案のプラスチック製密封容器の四辺の中の一辺を底側にして対向する一辺を天側になるように水平面に載置した状態を比較的長く続けたり、本考案の把手状突起体が比較的比較的頻度の高い使用状態にあっても、把手状突起体の強度が向上したプラスチック製密封容器を提供できる。また、本考案の補強突起体を設けることで、本考案のプラスチック製密封容器の四辺を補強することになるので、プラスチック製密封容器の強度や耐久性を向上させることを可能にするプラスチック製密封容器の構造を提供することができる。【００２４】  課題を解決するための第五の手段で示した内容を備えた構造のプラスチック製密封容器を提供できることによって、前記第一突起体または前記第一棒状体の縁部の任意部位に少なくとも一つの切欠き部または凹��部を形成させたことで、前記プラスチック製蓋体の外形が容器本体の外形寸法よりも大きくなることなく前記プラスチック製蓋体を係止可能にできると共に、プラスチック製容器本体に密閉可能に取り付けられるプラスチック製蓋体の付け外しが容易になる。すなわち開蓋は前記第一突起体または前記第一棒状体の縁部の任意部位に少なくとも一つ設けた切欠き部または凹状部に指を入れて持ち上げれば、容易に蓋を開けることができるからである。また、それにも拘らず密封性は従来通り良好なプラスチック製密封容器の構造を提供することができる。【００２５】
【考案を実施するための最良の形態】
【００２６】  以下、本考案のプラスチック製密封容器の構造の実施の形態について、図１〜図８に基づいて説明する。
図１は従来のプラスチック製密封容器の参考図である。図２は従来のプラスチック製密封容器の参考図である。図３は本考案のプラスチック製密封容器を示す斜視図であり蓋体を容器本体に取付けようとしている状態を示している。図４は本考案の実施の形態例を示す斜視図であり容器本体の縁部の任意部位に少なくとも一つの切欠き部または凹状部を形成させることを示している。図５は本考案の実施の形態例を示す断面図である。図６は本考案のプラスチック製密封容器を示す斜視図であり蓋体を容器本体に取付けた状態を示している。図７は本考案の実施の形態例を示す斜視図でありプラスチック製密封容器の長側面を底にして自立している状態を示している。図８は本考案の実施の形態例を示す斜視図でありプラスチック製密封容器の短側面を底にして自立している状態を示している。
【実施例１】
【００２７】  図２から図８を用いて請求項１の実施の形態例を説明すると、Ｔ２は本考案のプラスチック製密封容器の構造によるプラスチック製蓋付き容器であり、１００はプラスチック製密封容器Ｔ２のプラスチック製の容器部分で略長方形状で上部開口型の容器本体であり、１１０は容器本体１００の開口部位の外周を示す開口縁であり、２００は開口縁１１０を介して密閉可能に着脱されるように形成したプラスチック製の蓋体であり、２１０は蓋体２００を開口縁１１０を介して密閉可能に着脱させる部位である縁部である。１２０ａは容器本体１００の外壁面で開口縁１１０の近傍でかつ外周面に沿って設けられた第一突起体であり、１３０ａは容器本体１００の外壁面で容器本体１００の底部の近傍でかつ外周面に沿って設けられた第二突起体であり、容器本体１００の四辺の中から選択した一辺または二辺または三辺または四辺に第一突起体１２０ａと第二突起体１３０ａを形成しようとする場合、第一突起体１２０ａと第二突起体１３０ａを形成させた一辺を底側にして対向する一辺を天側になるように水平台（図７と図８の図中に示す）に載置した場合に、容器本体１００が略垂直に自立するように設計し形成させるものとする。また蓋体２００を開口縁１１０を介して容器本体１００に密閉させた状態で、縁部２１０の外周寸法を第一突起体１２０ａの外周寸法とが略同じになるように形成させるか、縁部２１０の外周寸法を第一突起体１２０ａの外周寸法よりも小さくなるように形成するものとする。
【実施例２】
【００２８】  図２から図８を用いて請求項２の実施の形態例を説明すると、Ｔ２は本考案のプラスチック製密封容器の構造によるプラスチック製蓋付き容器であり、１００はプラスチック製密封容器Ｔ２のプラスチック製の容器部分で略長方形状で上部開口型の容器本体であり、１１０は容器本体１００の開口部位の外周を示す開口縁であり、２００は開口縁１１０を介して密閉可能に着脱されるように形成したプラスチック製の蓋体であり、２１０は蓋体２００を開口縁１１０を介して密閉可能に着脱させる部位である縁部である。１２０ｂは容器本体１００の外壁面で開口縁１１０の近傍でかつ外周面に沿って設けられた第一棒状体であり、１３０ｂは容器本体１００の外壁面で容器本体１００の底部の近傍でかつ外周面に沿って設けられた第二棒状体であり、容器本体１００の四辺の中から選択した一辺または二辺または三辺または四辺に第一棒状体１２０ｂと第二棒状体１３０ｂを形成しようとする場合、第一棒状体１２０ｂと第二棒状体１３０ｂを形成させた一辺を底側にして対向する一辺を天側になるように水平台（図７と図８の図中に示す）に載置した場合に、容器本体１００が略垂直に自立するように設計し形成させるものとする。また蓋体２００を開口縁１１０を介して容器本体１００に密閉させた状態で、縁部２１０の外周寸法を第一棒状体１２０ｂの外周寸法とが略同じになるように形成させるか、縁部２１０の外周寸法を第一棒状体１２０ｂの外周寸法よりも小さくなるように形成するものとする。
【実施例３】
【００２９】  図２から図８を用いて請求項３の実施の形態例を説明すると、１４０は把手状に形成した突起体であり、１４１は把手状突起体１４０の形状である。把手状突起体形状１４１は、人差し指または中指または薬指またはこれらの組合せの指が引っ掛るか又は係止できるような形状になっていればどんな形状でも構わないものとするが、図５では把手状突起体形状１４１はＬ字形状になるように形成することを選択している。また把手状突起体１４０は、第一突起体１２０ａと第二突起体１３０ａの間の任意部位に設けることを選択できる。また把手状突起体１４０は、第一棒状体１２０ｂと第二棒状体１３０ｂの間の任意部位に設けることを選択できる。また把手状突起体１４０は、第一突起体１２０ａと第二棒状体１３０ｂの間の任意部位に設けることを選択できる。また把手状突起体１４０は、第一棒状体１２０ｂと第二突起体１３０ａの間の任意部位に設けることを選択できる。
【実施例４】
【００３０】  図２から図８を用いて請求項４の実施の形態例を説明すると、１５０は把手状突起体１４０を補強するために把手状突起体１４０の近傍に設けるようにして形成した補強突起体であり、図中では容器本体１００の四辺に設けられた把手状突起体１４０の近傍には全て補強突起体１５０を設けるように形成してある。
【実施例５】
【００３１】  図３と図４と図６を用いて請求項５の実施の形態例を説明すると、１２１ａは第一突起体１２０ａの任意部位に少なくとも一つ設けられた切欠き部であり、１２１ｂは第一棒状体１２０ｂの任意部位に少なくとも一つ設けられた切欠き部である。図中では、第一突起体１２０ａの四隅に切欠き部１２１ａを設けるように形成してあり、また第一棒状体１２０ｂの四隅に切欠き部１２１ｂを設けるように形成してある。
【実施例６】
【００３２】  図７と図８を用いて図７の実施の形態例を説明すると、本考案を実施することによって、図７に示すとおり、略長方形状のプラスチック製蓋付き容器Ｔ２の任意の長側面を底にして対向する長側面を天側になるように水平台に載置すると、プラスチック製蓋付き容器Ｔ２は略垂直状態を保持して自立したままになっている。また天側になっていたプラスチック製蓋付き容器Ｔ２の長側面を底にして対向する長側面を天側になるように水平台に載置してもプラスチック製蓋付き容器Ｔ２は略垂直状態を保持して自立したままになっていることを示している。
【実施例７】
【００３３】  図７と図８を用いて図８の実施の形態例を説明すると、本考案を実施することによって、図７に示すとおり、略長方形状のプラスチック製蓋付き容器Ｔ２の任意の短側面を底にして対向する短側面を天側になるように水平台に載置すると、プラスチック製蓋付き容器Ｔ２は略垂直状態を保持して自立したままになっている。また天側になっていたプラスチック製蓋付き容器Ｔ２の短側面を底にして対向する短側面を天側になるように水平台に載置してもプラスチック製蓋付き容器Ｔ２は略垂直状態を保持して自立したままになっていることを示している。【００３５】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００３６】  本考案によるプラスチック製密封容器は、文具類の収納容器として用いることも可能であり、また工具類の収納容器として用いることも可能であり、また各種部品類の収納容器として用いることも可能であることから、産業上の利用可能性は大きいと考えられる。
【図面の簡単な説明】
【００３７】
【図１】従来のプラスチック製密封容器の参考図である。
【図２】従来のプラスチック製密封容器の参考図である。
【図３】本考案のプラスチック製密封容器を示す斜視図である。
【図４】本考案の実施の形態例を示す斜視図である。
【図５】本考案の実施の形態例を示す断面図である。
【図６】本考案のプラスチック製密封容器を示す斜視図である。
【図７】本考案の実施の形態例を示す斜視図である。
【図８】本考案の実施の形態例を示す斜視図である。
【符号の説明】
【００３８】  Ｔ１・・プラスチック製蓋付き容器    Ｔ２・・プラスチック製蓋付き容器
１０・・プラスチック製容器本体    １１・・開口縁    １２・・上部突起体
２０・・プラスチック製蓋体    ２１・・縁部
１００・・容器本体    １１０・・開口縁
１２０ａ・・第一突起体    １２０ｂ・・第一棒状体
１２１ａ・・切欠き部    １２１ｂ・・切欠き部
１３０ａ・・第二突起体    １３０ｂ・・第二棒状体
１４０・・把手状突起体    １４１・・把手状突起体形状    １５０・・補強突起体
２００・・蓋体    ２１０・・縁部
【図１】
0003156287.tif 000003
【図２】
0003156287.tif 000004
【図３】
0003156287.tif 000005
【図４】
0003156287.tif 000006
【図５】
0003156287.tif 000007
【図６】
0003156287.tif 000008
【図７】
0003156287.tif 000009
【図８】
0003156287.tif 000010